(57)【特許請求の範囲】
【請求項１】
小便器の排水口に挿入される大きさで薬剤を収納する上面開口の容器状に形成された薬剤収納部を有して、前記薬剤に接触した尿や水が流下する通路を前記薬剤収納部の周囲壁と底壁とに形成している基部と、
複数の立て板部を連結してドーム状の屋根形状とし、前記立て板部の間に、上方から見た状態で略菱形状を呈して前記薬剤収納部側に連通して尿や水が流入して前記薬剤側に流下する通路が形成されて、複数の前記通路を頂部を中心として放射状配置にして前記排水口を覆う大きさを有した蓋部とからなり、
前記基部と蓋部とは相互に結合される結合部を有し、前記基部と蓋部とは、紙を主体として合成樹脂との混合にて成型された小便器内に使用される紙製品である小便器排水口用目皿。
【請求項２】
前記基部と蓋部とは、紙、合成樹脂、及び特殊要素として流動剤を含み、紙が５０％超含まれた複合素材にて射出成型された小便器内に使用される紙製品である請求項１に記載の小便器排水口用目皿。
【請求項３】
前記基部と蓋部とは、古紙、合成樹脂、及び特殊要素として増白剤を含み、前記合成樹脂をポリプロピレンとし前記古紙が５０％超含まれた複合素材を射出成型にて成型した小便器内に使用される紙製品である請求項１に記載の小便器排水口用目皿。
【発明の詳細な説明】
【０００１】
【発明の属する技術分野】
本発明は、小便器の排水口に設置される小便器排水口用目皿に関する。
【０００２】
【従来の技術】
通常、小便器の排水口を隠すように小便器排水口用目皿を置いている。この小便器排水口用目皿は、小便器と同様に磁器や陶器製で作製されたものがあるが、複雑な形状に作製することはできないので、尿や洗浄水の跳ね返りを十分抑制できるものができない。また、この磁器や陶器製の小便器排水口用目皿は、臭気防止や美観上からも付着した尿石はブラシ等で擦って除去し、その後、再び排水口にセットして使用する。
【０００３】
一方、尿や洗浄水の跳ね返り抑制効果を向上させるために、小便器排水口用目皿に多数の通水路を形成すると共に、臭気防止や尿石の付着防止用等のために、薬剤を内部に収納した薬剤入り小便器排水口用目皿を合成樹脂で構成し、尿や小便器洗浄水によって前記薬剤が溶け出す仕組みのものがある。
【０００４】
【発明が解決しようとする課題】
上記磁器や陶器製の小便器排水口用目皿は、付着した尿石をブラシ等で擦って再使用するものであり、資源の有効利用の点では好ましいが、尿や洗浄水の跳ね返りを防止するための複雑形状に成型できない問題がある。
【０００５】
また、上記合成樹脂製の小便器排水口用目皿は、合成樹脂を複雑形状に成型するため尿や洗浄水の跳ね返り抑制効果は向上され、更に薬剤によって臭気防止や尿石の付着防止用等の効果が期待できる。しかし、合成樹脂製であるため、紙等の一般ごみと同様に可燃ごみとして処理すると有毒ガスの発生等の問題があり、一般ごみ（可燃ごみ）とは区別して処分するか、又は一般ごみ（可燃ごみ）とは分別してごみ処理業者へ出す必要がある。また合成樹脂製のごみ処理には、一般ごみ（可燃ごみ）の焼却装置とは別の装置が必要となり、ごみ焼却装置として高価なものとなる。
【０００６】
昨今、環境に対する認識が高まり、世界の環境基準を満たした設備や施設とするところが多くなってきている中で、その設備や施設をトータルで考えて世界の環境基準を満たすためには、その中に含まれる小便器についてもその基準を考慮した対応が必要となってくる。その場合、上記のような使い捨ての合成樹脂製小便器排水口用目皿を使用している設備や施設では、その設備や施設全体で世界的環境基準を満たしたものとは言えず、この基準を満たすためには、小便器に使用されて消耗品扱いされる小便器排水口用目皿の改善が必要である。
【０００７】
本発明では、上記の点に鑑みて、小便器に使用されて消耗品扱いされる小便器排水口用目皿を、従来のように、一般ごみ（可燃ごみ）とは区別して処分するか、又は一般ごみ（可燃ごみ）とは分別してごみ処理業者へ出すなどの必要性をなくすることができる小便器排水口用目皿を提供するものである。
【０００８】
【課題を解決するための手段】
本発明の小便器排水口用目皿は、小便器の排水口に挿入される大きさで薬剤を収納する上面開口の容器状に形成された薬剤収納部を有して、前記薬剤に接触した尿や水が流下する通路を前記薬剤収納部の周囲壁と底壁とに形成している基部と、複数の立て板部を連結してドーム状の屋根形状とし、前記立て板部の間に、上方から見た状態で略菱形状を呈して前記薬剤収納部側に連通して尿や水が流入して前記薬剤側に流下する通路が形成されて、複数の前記通路を頂部を中心として放射状配置にして前記排水口を覆う大きさを有した蓋部とからなり、前記基部と蓋部とは相互に結合される結合部を有し、前記基部と蓋部とは、紙を主体として合成樹脂との混合にて成型され、小便器内に使用される紙製品である。
【０００９】
これによって、この小便器排水口用目皿は、紙等の一般ごみと同様に可燃ごみとして処理することができ、従来のような一般ごみ（可燃ごみ）とは区別して処分するとか、一般ごみ（可燃ごみ）とは分別してごみ処理業者へ出すなどの必要性がなくなり、ごみ処理上からも簡単になり、ごみの分別作業の煩雑さもなくなる。このため、環境にやさしい小便器排水口用目皿となる。
【００１１】
また、本発明の小便器排水口用目皿は、前記基部と蓋部とは、紙、合成樹脂、及び特殊要素として流動剤を含み、紙が５０％超含まれた複合素材にて射出成型された小便器内に使用される紙製品であることを特徴とする。このため紙の割合を考慮した流動剤等によって、尿や洗浄水の跳ね返りを抑制する複雑形状の射出成型が可能となり、機能的にも尿や洗浄水の跳ね返りの抑制と、臭気防止や尿石の付着防止用等の薬剤の収納ができる目皿が提供でき、環境に配慮した紙製品の小便器排水口用目皿となる。
【００１２】
また、本発明の小便器排水口用目皿は、前記基部と蓋部とは、古紙、合成樹脂、及び特殊要素として増白剤を含み、前記合成樹脂をポリプロピレンとし前記古紙が５０％超含まれた複合素材を射出成型にて成型したことを特徴とする。このため、ポリプロピレンの耐薬品特性を活かしつつ古紙の使用によって資源のリサイクルによる環境保護が一段と進んだ小便器排水口用目皿となり、小便器内に使用される紙製品として、より好ましいものである。
【００１３】
【発明の実施の形態】
次に、本発明の実施の形態について説明する。図１は本発明の小便器排水口用目皿の使用状態を示す説明図、図２は小便器排水口用目皿の取り付け状態を示す説明図、図３は小便器排水口用目皿を上から見た説明図、図４は図３のＡ−Ａ断面線における説明図である。
【００１４】
次ぎに、本発明を図に示す実施形態に基づいて詳細に説明する。図中１は小便器４０の排水口４１に置いた小便器排水口用目皿で、小便器４０の排水口４１に挿入される基部２と、尿や水が流下する複数の通路１１を形成して排水口４１を覆う大きさを有したドーム状の蓋部３とからなり、基部２と蓋部３とは紙を主体として合成樹脂との混合にて成型された、小便器４０内に使用される唯一の紙製品である。紙が５０％超（５０％を越える範囲であり５０％は含まない、以下同じ）含まれ、合成樹脂が５０％未満、または合成樹脂とその他の特殊要素部との合計が５０％未満であることによって、紙主体で作られた小便器排水口用目皿となり、法的にも紙等の一般ごみと同様に可燃ごみとして処理することができる。
【００１５】
また、本発明の小便器排水口用目皿１は、薬剤４２を収納する上面開口の容器状に形成された薬剤収納部１４を有し薬剤４２に接触した尿や水が流下する通路１３を有する小便器４０の排水口４１に挿入される基部２と、尿や水が流入して薬剤４２に流下する複数の通路１１を形成して排水口４１を覆う大きさを有した蓋部３とからなり、基部２と蓋部３とは相互に結合される結合部２１を有し、基部２と蓋部３とは、紙主体（紙が５０％超含まれた）として合成樹脂との複合素材にて成型された小便器内に使用される紙製品である。
【００１６】
また、本発明の小便器排水口用目皿１は、基部２と蓋部３とは、少なくとも紙と合成樹脂との複合であって、紙が５０％超含まれた複合素材を射出成型にて成型したことを特徴とする。また、本発明の小便器排水口用目皿１は、紙、合成樹脂、及び特殊要素としての増白剤との複合であって、紙が５０％超含まれた複合素材にて射出成型された小便器内に使用される紙製品であることを特徴とする。また、複合素材には紙が多く含まれているため、射出成型時の溶融複合素材の流動不良によって成型された小便器排水口用目皿１に表面焼けが生じたり、細かい部分の成型不良等が生じたりすることを考慮して、その流動性確保のために複合素材に特殊要素としての流動剤が含まれ、この場合には、紙、合成樹脂、及び特殊要素としての流動剤との複合である。また上記紙には、古紙を使用することに特徴を有する。更に、前記合成樹脂をポリプロピレンとし紙が５０％超含まれた複合素材を射出成型にて成型したことを特徴とする。
【００１７】
また、本発明の小便器排水口用目皿１は、特に紙として古紙を利用することによって資源の有効活用を図る点に大きな特徴を有するものである。このため、本発明の小便器排水口用目皿１は、基部２と蓋部３とは少なくとも古紙と合成樹脂との複合であって、古紙が５０％超含まれた複合素材を射出成型にて成型したことを特徴とする。この場合、合成樹脂をポリプロピレンとし古紙が５０％超含まれた複合素材を射出成型にて成型したことを特徴とする。この場合、上記のように流動性確保のために複合素材に特殊要素としての流動剤を含む場合には、紙、合成樹脂、及び特殊要素としての流動剤との複合である。また、古紙を使用することによる色彩不良の改善のために増白剤を用いるが、この場合には、紙、合成樹脂、及び特殊要素としての増白剤との複合となる。この場合の古紙は、使用済みの紙を意味する。
【００１８】
この古紙の種類が一定化しない場合には、成型の都度、その古紙の種類に適合する成型条件に合わせる調整が必要である。この成型条件は事前に何回かのテストによって得ておく必要があり、古紙の種類が定まらない場合には、このような事前のテストや成型時の調整等の多くの工程が必要となるため、これを改善するためには、古紙の品質が略一定であることが成型を円滑に行うためには有効である。このため、例えば、所定の製紙工場等から出る廃材又は廃棄紙のように、定まった施設や場所から廃材として出る紙の材料や紙を使用することによって、成型条件も安定するため、量産化に適した小便器排水口用目皿１の成型が達成でき、資源の有効利用となり、環境保護上からも好ましいものが達成できる。
【００１９】
古紙を使用する場合、従来の合成樹脂主体のものに比して射出成型時の材料の流動性が悪くなり成型品に焼けが生じることもある。これを改良するために、古紙及び合成樹脂に特殊要素部して流動剤が加えられる。そして、古紙使用によって成型品の色合いが黒ずむ場合には、この改良として増白剤を加えることによってこれが改善できる。このように、古紙を使用する場合には、古紙が５０％超、残り５０％未満がポリプロピレン等の合成樹脂と特殊要素であり、この特殊要素として少なくとも流動剤が加えられる。
【００２０】
上記のように流動剤と増白剤を使用した場合の一つの好ましい実施例として、古紙５３％、ポリプロピレン４４％の他に流動剤、増白剤等の特殊要素部３％の配合比率の複合素材を準備し、これを乾燥工程（１２０℃で３時間で実施）を経て、射出成型機のシリンダー温度を１９０℃以下に設定して射出成型することによって後述の図２乃至図４に示すような複雑な形状の小便器排水口用目皿１が良好に成型できた。
【００２１】
なお、古紙の割合が大きくなるに従って射出成型時の複合素材の流動性が低下して成型品の焼けや臭気発生の問題が生じるため、これをなくするために、流動剤の量を多くするとか、射出成型機のシリンダー温度を１９０℃以下に設定し、成型用金型のゲート（前記複合素材が液状で注入されるゲート）直径を大きくして成型品を厚肉成型にすることによって、成型品の焼けとそれによる臭気発生を防止できることが判明している。
【００２２】
次に、薬剤４２を収納する薬剤収納部１４を有した本発明の小便器排水口用目皿１の具体的な構成について、以下に記述する。基部２は、小便器４０の排水口４１に挿入される大きさでもって薬剤４２を収納する上面開口の容器状に形成された薬剤収納部１４を有し、薬剤４２に接触した尿や水が流下する通路１３を周囲壁と底壁にそれぞれ形成している。通常、小便器４０の排水口４１は円形状であるため、基部２もそれに挿入できるように円形状である。薬剤収納部１４の上部は、斜め上方に広がった環状部２Ａとその上端から水平方向に伸びたフランジ２Ｂを形成している。基部２には、環状部２Ａから上方に延びた複数の係止爪１２を一体成型している。係止爪１２はその先に比して根元部を厚くすることによって、後述のように蓋部３に結合するときに破損から防止できる。
【００２３】
また、蓋部３は、図に示すように、複数の立て板部１０を連結させてドーム状の屋根を呈するように成形されている。そして立て板部１０相互の間に、上方から見た状態で略菱形状を呈して薬剤収納部１４側につながる通路１１が形成されており、この通路１１は蓋部３の頂部を中心として放射状となるよう配置されている。それぞれ基部２の複数の係止爪１２に対応する通路１１の一部は、塞がれていてそこが係止部１５を形成する。
【００２４】
立て板部１０は、上端の稜線部の厚みを薄くした形状に形成されており、立て板部１０の上端に当たった尿や洗浄水はこの上端の稜線部によって左右に分かれて薬剤収納部１４に流れ落ち、この稜線部分から外方に跳ね返ることがない。また通路１１に入った位置で尿や洗浄水が立て板部１０の側面に当たっても、この尿や水は薬剤収納部１４側に向けて跳ね落ち、この場合でも外方に跳ね出すことがなくなる。
【００２５】
蓋体３の下部の形状は、収納する固形薬剤の形状に対応していることが良好であって、図示するように固形薬剤４２が球体であるとき蓋体３の裏側形状を凹面状にして、その固形薬剤４２の初期形状の表面と一定の間隔を取れる形状にすれば、蓋体３を通った尿や水が固形薬剤４２の表面を流れ、上記透孔の通路１３からスムーズに流れ落ちるようになる。また、立て板部１０の高さ寸法は通路１１の幅の１．５倍以上あればよい。
【００２６】
薬剤収納部１４に薬剤４２を収納した状態において、ドーム状の蓋部３の係止部１５に、薬剤収納部１４を有する容器状の基部２の上縁に設けた係止爪１２がその弾力によって係止することによって、基部２と蓋部３とが結合される。この蓋部３の係止部１５と基部２の係止爪１２とで結合部を構成する。
【００２７】
基部２の薬剤収納部１４に納められた固形薬剤４２は、蓋部３の通路１１から流下する尿や水によって溶け出し、薬剤収納部１４の側面および底面に通路として形成した透孔１３を通して尿や水と共に流れ出すようになる。この薬剤４２の溶出によって、小便器４０の臭気防止や尿石の付着防止用等の効果が得られる。
【００２８】
本発明では、環境にやさしいものとすることによって、従来のように、一般ごみ（可燃ごみ）とは区別して処分するか、又は一般ごみ（可燃ごみ）とは分別してごみ処理業者へ出すなどの必要性をなくすることができる小便器排水口用目皿を提供するものである。このため、基部２と蓋部３とは、紙、合成樹脂、及び流動剤等の特殊要素部との複合であって、前記合成樹脂をポリプロピレンとし前記紙が５０％超含まれた複合素材を射出成型にて成型している。
【００２９】
上記の実施例の他に本発明の小便器排水口用目皿の第２実施例として、成型に使用される材料は、古紙が５２％、ポリプロピレンが４２％、残りの６％が流動剤や増白剤等の特殊要素部である複合素材を用いることができる。この場合、所定形状に加工された金型を射出成型機にセットして温度等所定の条件下（射出成型機のシリンダー温度を１９０℃以下に設定するのがよい）において、溶融されたこの複合素材を前記金型に高圧で注入する射出成型法によって、上記のような多数の立て板部１０相互の間に、上方から見た状態で略菱形状を呈して薬剤収納部１４側につながる多数の通路１１が蓋部３の頂部を中心として放射状となるよう配置された蓋部３を有する小便器排水口用目皿１が成型できた。
【００３０】
そして、この小便器排水口用目皿１は、小便器４０での使用後、即ち使用によって薬剤４２が溶出して無くなった後は、容器包装リサイクル法に基づいても、一般ごみ（可燃ごみ）として廃棄焼却できる。小便器排水口用目皿１であるため、紙は古紙を使用することによって資源の再利用となり、上記の実施例においても古紙５２％を使用することによって所定の小便器排水口用目皿に成型できることが判明した。
【００３１】
９０％以上が合成樹脂であって流動剤等の特殊要素部が数％含まれた構成である従来の合成樹脂製の小便器排水口用目皿の射出成型に比して、上記の各実施例の配合のものは、成型時に金型にかかる圧力がかなり高くなるが、上記のように立て板部１０の上端の稜線部の厚みを薄くし、多数の通路１１を多数の薄い立て板部１０間に形成して、小便器４０の排水口を覆う大きさを有したドーム状をなす蓋部３の成型は達成できた。また、この蓋３０よりも簡単な形状の基部２も同様に所定形状が得られた。また、基部２の上縁に設けた係止爪１２の形成も達成でき、この係止爪１２と蓋部３との係止関係も良好である。
【００３２】
上記の配合で成型された小便器排水口用目皿は、基部２と蓋部３とを紙を主体とした合成樹脂との混合である複合素材にて成型された、小便器４０内に使用される唯一の紙製品である。このため、紙の割合が５０％超あれば、一般ごみ（可燃ごみ）として処理できるため、本発明の小便器排水口用目皿は、紙等の一般ごみ（可燃ごみ）として処理することができ、従来のような一般ごみ（可燃ごみ）とは区別して処分するとか、一般ごみ（可燃ごみ）とは分別してごみ処理業者へ出すなどの必要性がなくなり、ごみの分別作業の煩雑さもなく、ごみ処理が簡単になり、環境にやさしい小便器排水口用目皿となる。
【００３３】
前記複合素材の主体を構成する紙の割合は、複合素材の５０％超であることが必要であるが、尿や洗浄水の跳ね返りを抑制した複雑形状の射出成型を可能ならしめるために、流動剤の配合比率を考慮した上で、できる限り紙の割合を多くすることによって、合成樹脂の割合が少なくなり、より環境にやさしい小便器排水口用目皿となる。
【００３４】
そして、紙が主体であるため、臭気防止や尿石の固着防止用等のために薬剤を収納した小便器排水口用目皿としても適用でき、薬剤が溶けて無くなったときには、紙等の一般ごみと同様に可燃ごみとして処理することができる効果がある。
【００３５】
本発明における複合素材は、上記実施例で示したように、紙と合成樹脂の混合で構成され紙の割合が多く、紙主体の構成である。また、紙と合成樹脂とその他の特殊要素で構成され、その中でも合成樹脂と特殊要素の合計よりも紙の割合が多く、紙主体の構成である。射出成型時の溶融複合素材の流動不良によって成型された小便器排水口用目皿１に、表面焼けが生じたり細かい部分の成型不良等が生じたりすることを考慮して、複合素材１００％の中の割合は、増白剤や流動剤等の特殊要素が（３）％〜（１０）％、紙が（５０）％超〜（６０）％、合成樹脂が残りの（３０）％〜（４７）％である。この特殊要素は、古紙の場合には増白剤が用いられ、成型を考慮して流動剤が用いられる。この他に、この特殊要素には、抗菌剤、界面活性剤等を含ませることができる。また、いろいろの色彩に成型する場合には、着色用色素を特殊要素に加えればよい。
【００３６】
本発明は、上記実施形態に限定されず、本発明の技術的範囲を逸脱しない限り種種の変更が考えられ、それに係る種種の実施形態を包含するものである。
【００３７】
【発明の効果】
第１の請求項の発明では、この小便器排水口用目皿は、紙等の一般ごみと同様に可燃ごみとして処理することができ、従来のような一般ごみ（可燃ごみ）とは区別して処分するとか、一般ごみ（可燃ごみ）とは分別してごみ処理業者へ出すなどの必要性がなくなり、ごみ処理上からも簡単になり、ごみの分別作業の煩雑さもなくなる。このため、環境にやさしい小便器排水口用目皿となる。
【００３９】
第２の請求項の発明では、紙の割合を考慮した流動剤によって、尿や洗浄水の跳ね返りを抑制する複雑形状の射出成型が可能となり、機能的にも尿や洗浄水の跳ね返りの抑制と、臭気防止や尿石の付着防止用等の薬剤の収納ができる目皿が提供でき、環境に配慮した紙製品の小便器排水口用目皿となる。
【００４０】
第３の請求項の発明では、ポリプロピレンの耐薬品特性を活かしつつ古紙の使用によって資源のリサイクルによる環境保護が一段と進んだ小便器排水口用目皿となり、小便器内に使用される紙製品として、より好ましいものである。また所定の製紙工場等から出る廃材又は廃棄紙を使用した複合素材を作ることによって安定した小便器排水口用目皿の成型が達成できると共に資源の有効利用となり、環境保護上からも好ましい。
【図面の簡単な説明】
【図１】本発明の小便器排水口用目皿の使用状態を示す説明図である。
【図２】本発明の小便器排水口用目皿の取り付け状態を示す説明図である。
【図３】本発明の小便器排水口用目皿を上から見た説明図である。
【図４】図３のＡ−Ａ断面線における説明図である。
【符号の説明】
１・・・・・・小便器排水口用目皿
２・・・・・・基部
３・・・・・・蓋部
１０・・・・立て板部
１１・・・・通路
１２・・・・係止爪
１３・・・・通路（透孔）
１４・・・・薬剤収納部
４０・・・・小便器
４１・・・・排水口
【図１】
0004798737.tif 000002
【図２】
0004798737.tif 000003
【図３】
0004798737.tif 000004
【図４】
0004798737.tif 000005